(57)【要約】【課題】凹凸屋根板材を用いた屋根構造において、荷重がかかっても軒先面戸の上片部を捲くれ難くすることができる面戸押さえ部材と、それを備えた軒先面戸、及び、それらを用いた屋根構造を提供する。【解決手段】本発明に係る面戸押さえ部材１は、凹凸屋根板材１０の設置に用いられ、軒先面戸本体５に取り付けられるものである。そして、軒先面戸本体５の上片部７の上面に沿った面戸押さえ部２と、軒先面戸板材８に沿うように設けられた設置部３と、凸条部１１の側面１１ａの軒先先端に沿うように設けられた連結部４と、を備えている。ここで、連結部４は、隣接する面戸押さえ部２と設置部３とを連結しており、また、面戸押さえ部２は、上片部７の上面に当接するように設けられている。【選択図】図５
2018135701.tif 000002
【特許請求の範囲】
【請求項１】
軒棟方向に沿った複数の凸条部及び複数の凹条部が交互に連なる凹凸屋根板材の設置に用いられ、
前記凸条部の軒先開口を覆うように設けられた突片部と、前記突片部から前記凸条部の上面の軒側端部に当接するように延出された上片部と、前記突片部が突出している軒先面戸板材と、を有する軒先面戸本体に取り付けられる面戸押さえ部材であって、
前記上片部の上面に沿った面戸押さえ部と、前記軒先面戸板材に沿うように設けられた設置部と、前記凸条部の側面の軒先先端に沿うように設けられた連結部と、を備え、
前記連結部は、隣接する前記面戸押さえ部と前記設置部とを連結しており、
前記面戸押さえ部は、前記上片部の上面に当接するように設けられていることを特徴とする面戸押さえ部材。
【請求項２】
複数の前記面戸押さえ部と複数の前記設置部とが、前記連結部によって連結され、交互に連なっていることによって、前記凹凸屋根板材の凹凸形状に沿った凹凸形状となっていることを特徴とする請求項１に記載の面戸押さえ部材。
【請求項３】
請求項１又は２に記載の面戸押さえ部材と、前記軒先面戸本体と、を備え、
前記軒先面戸本体は、前記軒先面戸板材と、前記突片部と、前記上片部と、を有し、
前記面戸押さえ部は、前記上片部に当接していることを特徴とする軒先面戸。
【請求項４】
前記軒先面戸板材は、開口部を有し、
前記開口部は、前記軒先面戸板材において、前記突片部が突出している根元であって前記上片部の延出方向側に開口しており、
前記設置部は、前記軒先面戸板材の下面に当接し、
前記連結部は、前記開口部から前記軒先面戸板材の上面側に突出していることを特徴とする請求項３に記載の軒先面戸。
【請求項５】
屋根下地上に設けられた前記凹凸屋根板材を備え、
前記凹凸屋根板材の軒側端部に、請求項３又は４に記載の軒先面戸を設けた屋根構造であって、
前記突片部によって、前記凸条部の軒先開口が覆われており、
前記上片部によって、前記凸条部の上面の軒側端部が押さえられており、
さらに、前記面戸押さえ部によって、前記上片部の上面が押さえられていることを特徴とする屋根構造。
【請求項６】
前記設置部は、前記屋根下地と前記軒先面戸板材の下面との間に挟持されていることを特徴とする請求項５に記載の屋根構造。
【発明の詳細な説明】
【技術分野】
【０００１】
本発明は、凹凸屋根板材を設置する際に用いられる軒先面戸の面戸押さえ部材、当該面戸押さえ部材を備えた軒先面戸、及び、当該軒先面戸を用いた屋根構造に関するものである。
【背景技術】
【０００２】
従来、凹凸屋根板材の設置にあたり、その軒先に面戸が設けられる屋根構造が開発されている（例えば、特許文献１）。以下、図８及び図９を用いて従来例（特許文献１）に係る屋根構造について説明する。図８は従来例の軒先面戸及び凹凸屋根板材の斜視図であり、また、図９は従来例における屋根構造の斜視図である。特許文献１における屋根構造では、軒先面戸５０４は、凹凸屋根板材５０１の凸部５０２の軒先開口５０３を覆う覆い部５０５を有している。この覆い部５０５の上縁部は、棟側に向かって押さえ部５０６が突出しており、押さえ部は凹凸屋根板材５０１の凸部５０２の上面に当接している。
【先行技術文献】
【特許文献】
【０００３】
【特許文献１】特開２０１４−０８０７２８号公報
【発明の概要】
【発明が解決しようとする課題】
【０００４】
特許文献１のような軒先面戸５０４の構造においては、凹凸屋根板材５０１の凸部５０２と軒先面戸５０４の押さえ部５０６との当接部分において段差が生じる。当該段差に積雪等の重みが加わると、押さえ部５０６が捲れてしまい、凹凸屋根板材５０１の凸部５０２の軒先開口５０３が露になってしまうことがある。かかる場合、露になった軒先開口５０３から水や雪等の異物が、屋根下地に侵入してしまい、屋根下地の腐食や雨漏り等の原因となる。
【０００５】
本発明は、上記課題に鑑みてなされたものである。その目的は、重みが加わっても軒先面戸が捲くれ凹凸屋根板材の軒先開口が露になることを抑制するための面戸押さえ部材を提供することである。さらに、面戸押さえ部材を備えた軒先面戸、及び、その軒先面戸を用いた屋根構造を提供することである。
【課題を解決するための手段】
【０００６】
上記課題の達成のために、本発明に係る面戸押さえ部材は、軒棟方向に沿った複数の凸条部及び複数の凹条部が交互に連なる凹凸屋根板材の設置に用いられ、前記凸条部の軒先開口を覆うように設けられた突片部と、前記突片部から前記凸条部の上面の軒側端部に当接するように延出された上片部と、前記突片部が突出している軒先面戸板材と、を有する軒先面戸本体に取り付けられる面戸押さえ部材であって、前記上片部の上面に沿った面戸押さえ部と、前記軒先面戸板材に沿うように設けられた設置部と、前記凸条部の側面の軒先先端に沿うように設けられた連結部と、を備え、前記連結部は、隣接する前記面戸押さえ部と前記設置部とを連結しており、前記面戸押さえ部は、前記上片部の上面に当接するように設けられていることを特徴とする。
【０００７】
また、本発明に係る軒先面戸は、上述した面戸押さえ部材と、前記軒先面戸本体と、を備え、前記軒先面戸本体は、前記軒先面戸板材と、前記突片部と、前記上片部と、を有し、前記面戸押さえ部は、前記上片部に当接していることを特徴とする。
【０００８】
また、本発明に係る屋根構造は、屋根下地上に設けられた前記凹凸屋根板材を備え、前記凹凸屋根板材の軒側端部に、上述した軒先面戸を設けた屋根構造であって、前記突片部によって、前記凸条部の軒先開口が覆われており、前記上片部によって、前記凸条部の上面の軒側端部が押さえられており、さらに、前記面戸押さえ部によって、前記上片部の上面が押さえられていることを特徴とする。
【発明の効果】
【０００９】
本発明に係る面戸押さえ部材を用いれば、凹凸屋根板材の凸条部に当接するように沿って延出された軒先面戸本体の上片部を、面戸押さえ部材の面戸押さえ部によって押さえることができ、軒先面戸本体の上片部や突片部が捲くれ難くすることができる。
【００１０】
また、本発明に係る軒先面戸によれば、その上片部が面戸押さえ部材によって押さえられていることで、その上片部や突片部が捲くれ難くすることができる。
【００１１】
さらに、本発明に係る屋根構造によれば、軒先面戸本体の上片部を面戸押さえ部材によって押さえることができるため、軒先面戸本体の上片部や突片部を捲れ難くすることができ、凸条部の軒先開口が露になるのを防止することができる。
【図面の簡単な説明】
【００１２】
【図１】実施の形態１に係る面戸押さえ部材の斜視図
【図２】面戸押さえ部材を取り付ける前の軒先面戸本体の斜視図
【図３】実施の形態１に係る軒先面戸の斜視図
【図４】実施の形態１に係る軒先面戸の屋根設置状態における斜視図
【図５】実施の形態１に係る屋根構造の斜視図
【図６】実施の形態１に係る屋根構造の概略断面図
【図７】実施の形態２に係る面戸押さえ部材の斜視図
【図８】従来例の軒先面戸及び凹凸屋根板材の斜視図
【図９】従来例における屋根構造の斜視図
【発明を実施するための形態】
【００１３】
以下、本発明の実施の形態について説明する。説明の中で、屋根下地上に屋根板材を設置する際に、屋根下地に垂直な方向において、屋根板材がある方向を上、屋根下地がある方向を下として説明する。
【００１４】
（実施の形態１）
図面を用いて本発明に係る実施の形態１について説明する。
【００１５】
［面戸押さえ部材］
まずは、図１を用いて実施の形態１に係る面戸押さえ部材について説明する。図１は、実施の形態１に係る面戸押さえ部材の斜視図である。実施の形態１に係る面戸押さえ部材１は、１つの面戸押さえ部２と、２つの設置部３と、２つの連結部４とを備える板状の部材である。面戸押さえ部材１を構成する材料としては、樹脂や金属板等の種々の材料を用いることができるが、強度面を考えると亜鉛鋼板等の金属板が好ましい。特に、雨等の水分による腐食に対する耐性を向上させることができるため、表面に酸化被膜を施す処理を行うことが好ましい。
【００１６】
面戸押さえ部２において、屋根構造として設置される際の軒先に沿った方向の両端から、それぞれ１つずつ連結部４が同方向に突出している。また、それぞれの連結部４からは、面戸押さえ部２とは連結していない側の端から、面戸押さえ部２がない側に１つずつ設置部３が突出している。面戸押さえ部材１は、設置部３、連結部４、面戸押さえ部２、連
結部４、設置部３の順で連結していることで、凸形状を有している。
【００１７】
面戸押さえ部２は、屋根構造として設置される際に、後述する軒先面戸本体５の上片部７（図２参照）に当接するように設けられている。また、設置部３は、屋根構造として設置される際に、後述する軒先面戸板材８（図３参照）に沿うように設けられている。また、連結部４は、屋根構造として設置される際に、後述する凹凸屋根板材１０の凸条部１１の側面１１ａ（図５参照）の軒先先端に沿うように設けられている。
【００１８】
実施の形態１に係る面戸押さえ部材１は、その軒先に沿った方向の全体に渡って幅が一定であり、面戸押さえ部２と設置部３と連結部４のそれぞれが矩形状を有しているが、幅や形状はこれに限定されない。面戸押さえ部２と設置部３と連結部４の中で、それぞれの幅を適宜変更したものであってもよい。また、面戸押さえ部２の形状を、上片部７と略同一にしてもよい。実施の形態１で面戸押さえ部材１を幅が一定な板状にしているのは、大きな板材の材料から切り出して屈曲させるだけで容易に製造でき、かつ、材料の捨てる部分も少なくなり、コスト面で有利だからである。
【００１９】
本実施の形態１に係る面戸押さえ部材１によれば、軒先面戸本体５の上片部７を上から面戸押さえ部２で押さえることができるため、荷重がかかっても上片部７が捲くれるのを防ぐことができる。それによって、凹凸屋根板材１０の凸条部１１の軒先開口１１ｂ（図６参照）が露になることを防ぐことができ、さらに、屋根構造の意匠性が損なわれることを防ぐこともできる。
【００２０】
［軒先面戸］
続いて、図２〜４を用いて実施の形態１に係る軒先面戸について説明する。図２は面戸押さえ部材を取り付ける前の軒先面戸本体の斜視図であり、また、図３は実施の形態１に係る軒先面戸の斜視図である。実施の形態１に係る軒先面戸は、軒先面戸本体５と上述の面戸押さえ部材１を備える。軒先面戸本体５は、突片部６と、上片部７と、軒先面戸板材８と、開口部９とを備える板状の部材である。軒先面戸本体５の材料としては、面戸押さえ部材１と同様に、樹脂や金属板等の種々の材料を用いることができるが、強度面を考えると亜鉛鋼板等の金属板が好ましく、特に表面に酸化被膜を施す処理が行われていればさらに好ましい。
【００２１】
突片部６は、後述する凹凸屋根板材１０の凸条部１１（図５参照）においてその軒先側に開口した軒先開口１１ｂを覆うように、軒先面戸板材８から上方向に突出している。また、上片部７は、突片部６の上端から、後述する凸条部１１の軒側端部側の上面１１ｃに当接するように、延出されている。開口部９は、軒先面戸板材８において、突片部６が突出している根元であって上片部７の延出方向側に開口している。
【００２２】
突片部６は、後述する凸条部１１の軒先開口１１ｂの全てに対応するように突出されているのが好ましい。また、開口部９は全ての突片部６の根元において開口しているのが好ましい。軒先面戸本体５としては、１つの軒先面戸板材８に、突片部６、上片部７及び開口部９を１セット有するものでもよく、２〜４セットやそれ以上の数のセットを有していてもよい。軒先面戸本体５の有する突片部６の数が、凹凸屋根板材１０の凸条部１１の数よりも少ない場合は、複数の軒先面戸本体５を組み合わせることによって、全ての凸条部１１の軒先開口１１ｂを覆うようにすることが好ましい。
【００２３】
突片部６は、軒先面戸板材８から切り起こしによって形成されていることが好ましい。切り起こしにより突片部６を形成すれば、切り起こした部分が開口部９となり、別途開口部を形成する必要がなくなり、工数ひいてはコストの削減になるからである。また、上片部７については、突片部６を屈曲させて形成するのが好ましい。別途上片部７を突片部６
の上端部に溶接等する必要がなくなり、工数ひいてはコストの削減になるからである。
【００２４】
また、軒先面戸板材８は、さらに、位置決め突片１４を備えていることが好ましい。位置決め突片１４は、開口部９において突片部６が突出しているのとは反対側の周縁部から突出している。位置決め突片１４は、屋根構造として設置する際に、後述する凹凸屋根板材１０の凸条部１１と屋根下地１３との間の空間に位置する。設置の際に凹凸屋根板材１０と軒先面戸本体５との位置がずれると、凹凸屋根板材１０の凹条部１２と位置決め突片１４との干渉が生じるため、位置決め突片１４があれば凹凸屋根板材１０を位置ずれなく設置することができる。
【００２５】
実施の形態１において、突片部６及び上片部７は、それぞれ略矩形の形状を有しているが、突片部６と上片部７の形状はこれに限定されず、さまざまな形状が可能である。例えば、突片部６の形状が台形であり、上片部７の形状が三角形であってもよい。また、突片部６の形状が台形であり、上片部７の形状が、突片部６よりも小さな台形であってもよい。
【００２６】
開口部９の形状についても、実施の形態１では四角形状となっているが、円形や五角形など他の様々な形状を採用することができる。ここで、突片部６及び上片部７を切り起こしにより形成する場合、突片部６や上片部７の形状と対応した形状の開口部９が形成される。
【００２７】
面戸押さえ部材１と軒先面戸本体５との固定方法は、図３に示すように、設置部３を軒先面戸板材８の下面に当接させ、面戸押さえ部２を上片部７に当接していることで、面戸押さえ部２及び設置部３で挟み込むことで固定している。この固定法によれば、面戸押さえ部材１と軒先面戸本体５とを容易に着脱することができ、また、ネジや釘や接着剤等を用いる必要がなくなり費用を低減することができる。
【００２８】
この固定状態においては、連結部４は、開口部９を通って、軒先面戸板材８の下面側から上面側に突出している。２つの連結部４が、同一の開口部９から突出しており、当該２つの連結部４の上端が１つの面戸押さえ部２で繋がっている。また、当該面戸押さえ部２は上片部７の上面と当接している。当該２つの連結部４からは、それぞれ１つずつ設置部３が設けられており、当該設置部３は軒先面戸板材８の下面と当接している。このような構成により、面戸押さえ部２は、連結部４によって連結された設置部３によって上方向への動きが抑制される。上片部７に荷重が加わった際も、面戸押さえ部２の上方向への動きが抑制されるため、上片部７が捲くれるのも防ぐことができる。
【００２９】
固定方法としては上述のものが最も好ましいが、他の固定方法としてネジや釘等で固定することも可能である。この場合、面戸押さえ部２と上片部７とを固定してもよく、設置部３を軒先面戸板材８若しくは屋根下地１３とを固定してもよく、その両方を行ってもよい。また、設置部３を軒先面戸板材８に固定する場合、軒先面戸板材８の上面に固定してもよいし、下面に固定することもできる。また、ネジや釘の代わりに接着剤等を用いて固定するようにしてもよい。
【００３０】
図３においては、突片部６、上片部７及び開口部９が４セットで１つの軒先面戸本体５を形成しており、全てのセットそれぞれに面戸押さえ部材１が１つずつ取り付けられている。上述した通り、軒先面戸本体５の有する、突片部６、上片部７及び開口部９のセットの数は任意に設定可能なものである。また、全ての当該セットに面戸押さえ部材１を設けるのがもちろん好ましいが、例えば１つおきに設置するなど、必要な部分にのみ面戸押さえ部材１を設置してもよい。
【００３１】
図４は、実施の形態１に係る軒先面戸の屋根設置状態における斜視図である。軒先面戸は、一般に図４のように軒先部分に設置されるものであり、本実施の形態１のように面戸押さえ部材１を備える場合であっても、同様に軒先部分に設置される。固定方法としては、ネジや釘等によって屋根下地１３上に固定するのが一般的であるが、接着剤等によって固定することもできる。
【００３２】
実施の形態１に係る軒先面戸を用いれば、上片部７と面戸押さえ部材１の面戸押さえ部２が当接しており、面戸押さえ部材１は設置部３によって、上片部７より下側で固定されている。本構成によって、荷重がかかっても、上片部７や突片部６が捲くれて凹凸屋根板材１０の凸条部１１の軒先開口１１ｂが露になることを防ぐことができ、意匠性が損なわれることを防ぐこともできる。
【００３３】
［屋根構造］
ここからは、図５及び図６を用いて、実施の形態１に係る屋根構造について説明する。図５は、実施の形態１に係る屋根構造の斜視図である。実施の形態１に係る屋根構造は、上述した面戸押さえ部材１を備えた軒先面戸本体５と、凹凸屋根板材１０とを、屋根下地１３上に設置した構造である。凹凸屋根板材１０の材料についても、面戸押さえ部材１等と同様に、亜鉛鋼板が好ましく、特に表面に酸化被膜を施す処理が行われていればさらに好ましい。
【００３４】
凹凸屋根板材１０は、軒棟方向に沿った複数の凸条部１１及び複数の凹条部１２が交互に連なることで凹凸形状を有する屋根板材である。凸条部１１は、２つの側面１１ａ及び１つの上面１１ｃからなり、その軒先先端に軒先開口１１ｂを有する。凹条部１２は、１つの底面１２ａ及び２つの側面１１ａからなる。
【００３５】
実施の形態１に係る屋根構造の設置方法について説明する。既述の通り、面戸押さえ部材１を備えた軒先面戸本体５は、屋根下地１３上の軒先部分において固定される。固定された軒先面戸本体５の位置決め突片１４と、凹凸屋根板材１０の凸条部１１が重なるように、棟から軒先方向に凹凸屋根板材１０をスライドさせる。凹凸屋根板材１０は、その底面１２ａの軒先先端が連結部４に当接する位置までスライドされることで設置される。
【００３６】
屋根下地１３の全てを覆うために、複数の凹凸屋根板材１０が用いられる。隣り合う凹凸屋根板材１０同士は、屋根材連結具（図示せず）を介して連結されている。屋根材連結具は、例えばビスや釘等によって屋根下地１３上に固定される。屋根材連結具の固定により、凹凸屋根板材１０も固定される。
【００３７】
設置状態では、軒先開口１１ｂは突片部６で覆われていることにより、軒先開口１１ｂが外部から視認されることを防ぎ、また、水や異物が軒先開口１１ｂから侵入し難くすることができる。また、上片部７は、凸条部１１の上面１１ｃの軒先先端部と当接しており、さらに面戸押さえ部２が上片部７の上面に当接している。このように、上片部７の上面が面戸押さえ部２によって押さえられていることで、荷重が加わっても上片部７が捲くれるのを防ぐことができる。
【００３８】
先述の通り、実施の形態１においては、設置部３が軒先面戸板材８の下面に当接する形で、面戸押さえ部材１が軒先面戸本体５に固定されることが好ましい。先述の通り、ビスやネジや釘等を用いることなく設置することが可能だからである。また、この場合、屋根構造として設置すれば、設置部３が軒先面戸板材８と屋根下地１３に挟まれて固定されるため、面戸押さえ部材１がより外れ難くなる。もちろん、ネジや釘等で面戸押さえ部材１を軒先面戸本体５に固定してもかまわない。
【００３９】
図６は、実施の形態１に係る屋根構造の概略断面図である。図６に示すように、実施の形態１に係る屋根構造は、さらに、水切り板材１５を備えていてもよい。仮に、連結部４或いは上片部７と凹凸屋根板材１０との間に隙間ができ、雨等の水分が屋根構造の内部に浸入したとしても、当該水分が屋根下地１３に到達するのを防ぐことができるためである。水切り板材１５は、軒先面戸板材８と屋根下地１３の間に設置される。開口部９は、その下側において水切り板材１５に覆われているのが好ましい。屋根構造の内部に侵入した水分が、開口部９を通じて屋根下地１３に到達するのを防ぐことができるためである。
【００４０】
水切り板材１５は、その軒先側先端から、軒棟方向と下方向の間の角度に屈曲して設けられた水流し部１５ａを備える。水切り板材１５に到達した水分は、水流し部１５ａの方に流れていき、その下方に位置する雨樋（図示せず）に流れることで排出される。
【００４１】
実施の形態１に係る屋根構造を用いれば、軒先面戸本体５の上片部７を、面戸押さえ部材１の面戸押さえ部２が押さえられており、さらに面戸押さえ部材１はその下方において設置部３によって固定されている。本構成によって、荷重がかかっても、上片部７や突片部６が捲くれて凹凸屋根板材１０の凸条部１１の軒先開口１１ｂが露になることを防ぐことができ、意匠性が損なわれることを防ぐこともできる。
【００４２】
（実施の形態２）
以下、図７を用いて本発明の実施の形態２について説明する。実施の形態２は、実施の形態１と面戸押さえ部材１の構成が異なり、他の部分は同一の構成であるため、以下では、実施の形態２に係る面戸押さえ部材１について説明する。符号については、実施の形態１と同一のものを付している。
【００４３】
図７は、実施の形態２に係る面戸押さえ部材の斜視図である。実施の形態２に係る面戸押さえ部材１は、複数の面戸押さえ部２と複数の設置部３が、連結部４を介して交互に連なった凹凸形状を有する。この凹凸形状は、凹凸屋根板材１０の凹凸形状に沿った形状である。設置部３の数は、面戸押さえ部２よりも１つ数の多く、また、面戸押さえ部材１の両端は設置部３となっている。面戸押さえ部材１を構成する材料としては、実施の形態１と同様に、亜鉛鋼板等の金属板が好ましく、特に、雨等の水分による腐食に対する耐性を向上させることができるため、表面に酸化被膜を施す処理を行うことが好ましい。
【００４４】
面戸押さえ部２は、屋根構造として設置される際に、軒先面戸本体５の上片部７に当接する。また、設置部３も、屋根構造として設置される際に、軒先面戸板材８に沿うように設けられている。また、連結部４についても、屋根構造として設置される際に、凹凸屋根板材１０の凸条部１１の側面１１ａの軒先先端に沿うように設けられている。
【００４５】
実施の形態２に係る面戸押さえ部材１は、その軒先に沿った方向の全体に渡って幅が一定であり、面戸押さえ部２と設置部３と連結部４のそれぞれが矩形状を有しているが、幅や形状はこれに限定されない。面戸押さえ部２と設置部３と連結部４の中で、それぞれの幅を適宜変更したものであってもよい。また、面戸押さえ部２の形状を、上片部７と略同一にしてもよい。実施の形態２で面戸押さえ部材１を幅が一定な板状にしているのは、大きな板材の材料から切り出して屈曲させるだけで容易に製造でき、かつ、材料の捨てる部分も少なくなり、コスト面で有利だからである。
【００４６】
実施の形態２に係る面戸押さえ部材１の軒先面戸本体５への固定方法については、ネジや釘や接着剤等を用いることができるが、実施の形態１と同様に、設置部３を軒先面戸板材８の下面に当接させ、面戸押さえ部２を上片部７に当接させる固定方法が好ましい。面戸押さえ部材１と軒先面戸本体５とを容易に着脱することができ、また、ネジや釘や接着剤等を用いる必要がなくなり費用を低減することができる。
【００４７】
この固定状態においては、連結部４は、開口部９を通って、軒先面戸板材８の下面側から上面側に突出している。２つの連結部４が、同一の開口部９から突出しており、当該２つの連結部４の上端が１つの面戸押さえ部２で繋がっている。また、当該面戸押さえ部２は上片部７の上面と当接している。当該２つの連結部４からは、それぞれ１つずつ設置部３が設けられており、当該設置部３は軒先面戸板材８の下面と当接している。このような構成により、面戸押さえ部２は、連結部４によって連結された設置部３によって上方向への動きが抑制される。上片部７に荷重が加わった際も、面戸押さえ部２の上方向への動きが抑制されるため、上片部７が捲くれるのも防ぐことができる。
【００４８】
また、実施の形態２に係る面戸押さえ部材１は、実施の形態１に係るものよりも多くの面戸押さえ部２及び設置部３を有するため、面戸押さえ部材１が軒先面戸本体５からより外れ難くすることができる。そのことによって、上片部７が捲くれ難くする効果もより向上する。また、１つの面戸押さえ部材１の設置によって、複数個の上片部７をまとめて押さえることができるため、実施の形態１のように１つの上片部７に対し１つの面戸押さえ部材１を設置するものと比べ、設置が容易になる。
【００４９】
本実施の形態２に係る面戸押さえ部材１によれば、軒先面戸本体５の上片部７を上から面戸押さえ部２で押さえることができるため、荷重がかかっても上片部７が捲くれるのを防ぐことができる。それによって、凹凸屋根板材１０の凸条部１１の軒先開口１１ｂが露になることを防ぐことができ、さらに、屋根構造の意匠性が損なわれることを防ぐこともできる。
【００５０】
本発明の実施の形態１及び２については以上の通りである。ここで、本発明について、あらためて説明しておく。
【００５１】
本発明に係る面戸押さえ部材１は、凹凸屋根板材１０の設置に用いられ、軒先面戸本体５に取り付けられるものである。そして、軒先面戸本体５の上片部７の上面に沿った面戸押さえ部２と、軒先面戸板材８に沿うように設けられた設置部３と、凸条部１１の側面１１ａの軒先先端に沿うように設けられた連結部４と、を備えている。ここで、連結部４は、隣接する面戸押さえ部２と設置部３とを連結しており、また、面戸押さえ部２は、上片部７の上面に当接するように設けられている。
【００５２】
上記のような構成の面戸押さえ部材１によれば、設置の際に、上片部７と面戸押さえ部材１の面戸押さえ部２が当接しており、面戸押さえ部材１は設置部３によって、上片部７より下側で固定されている。本構成によって、荷重がかかっても、上片部７や突片部６が捲くれて凹凸屋根板材１０の凸条部１１の軒先開口１１ｂが露になることを防ぐことができ、意匠性が損なわれることを防ぐこともできる。
【００５３】
また、本発明に係る面戸押さえ部材１は、面戸押さえ部２と設置部３とが、連結部４によって連結され、交互に連なっていることによって、凹凸屋根板材１０の凹凸形状に沿った凹凸形状となっていることが好ましい。
【００５４】
凹凸屋根板材１０の凹凸形状に沿った凹凸形状を有する場合、面戸押さえ部２がひとつのものと比べ、面戸押さえ部材１が軒先面戸本体５からより外れ難くすることができ、故に、上片部７が捲くれ難くする効果もより向上する。
【００５５】
本発明に係る軒先面戸は、面戸押さえ部材１と軒先面戸本体５とを備える。軒先面戸本体５は、軒先面戸板材８と、突片部６と、上片部７とを有しており、面戸押さえ部２は上片部７に当接している。
【００５６】
上記のような構成の軒先面戸によれば、上片部７と面戸押さえ部材１の面戸押さえ部２が当接しており、面戸押さえ部材１は設置部３によって、上片部７より下側で固定されている。本構成によって、荷重がかかっても、上片部７や突片部６が捲くれて凹凸屋根板材１０の凸条部１１の軒先開口１１ｂが露になることを防ぐことができ、意匠性が損なわれることを防ぐこともできる。
【００５７】
また、本発明に係る軒先面戸は、軒先面戸板材８において、突片部６が突出している根元であって上片部７の延出方向側に開口した開口部９を備えていることが好ましい。そして、設置部３が軒先面戸板材８の下面に当接しており、かつ、連結部４が開口部９から軒先面戸板材８の上面側に突出していることが好ましい。
【００５８】
このような構成により、面戸押さえ部２は、連結部４によって連結された設置部３によって上方向への動きが抑制される。上片部７に荷重が加わった際も、面戸押さえ部２の上方向への動きが抑制されるため、上片部７が捲くれるのも防ぐことができる。
【００５９】
本発明に係る屋根構造は、屋根下地１３上に設けられた凹凸屋根板材１０を備えており、
凹凸屋根板材１０の軒側端部に、上述の軒先面戸を設けている。そして、突片部６によって、凸条部１１の軒先開口１１ｂが覆われており、上片部７によって、凸条部１１の上面１１ｃの軒側端部が押さえられており、さらに、面戸押さえ部２によって、上片部７の上面が押さえられている。
【００６０】
上記のような構成の屋根構造によれば、軒先面戸本体５の上片部７を上から面戸押さえ部２で押さえることができるため、荷重がかかっても上片部７が捲くれるのを防ぐことができる。それによって、凹凸屋根板材１０の凸条部１１の軒先開口１１ｂが露になることを防ぐことができ、さらに、屋根構造の意匠性が損なわれることを防ぐこともできる。
【００６１】
また、本発明に係る屋根構造は、設置部３が、屋根下地１３と軒先面戸板材８の下面との間に挟持されているのが好ましい。
【００６２】
このような構成によれば、設置部３が軒先面戸板材８と屋根下地１３に挟まれて固定されるため、面戸押さえ部材１がより外れ難くすることができる。
【００６３】
なお、上述の実施の形態１及び２については、本発明の実施態様の例示に過ぎず、材料等についても好ましいものの例示に過ぎず、本発明はこれらの実施の形態にのみ限定されるものではない。本発明の技術的思想の範囲を逸脱しない範囲で、構成に適宜変更を加えることは可能である。
【符号の説明】
【００６４】
１    面戸押さえ部材
２    面戸押さえ部
３    設置部
４    連結部
５    軒先面戸本体
６    突片部
７    上片部
８    軒先面戸板材
９    開口部
１０    凹凸屋根板材
１１    凸条部
１１ａ    側面
１１ｂ    軒先開口
１１ｃ    上面
１２    凹条部
１２ａ    底面
１３    屋根下地
【図１】
2018135701.tif 000003
【図２】
2018135701.tif 000004
【図３】
2018135701.tif 000005
【図４】
2018135701.tif 000006
【図５】
2018135701.tif 000007
【図６】
2018135701.tif 000008
【図７】
2018135701.tif 000009
【図８】
2018135701.tif 000010
【図９】
2018135701.tif 000011